(57)【特許請求の範囲】
【請求項１】
コークバケット本体のフレーム内側にライナを張りめぐらせたコークバケットにおいて、前記ライナの外面で外方に向かって突出させた突起部を設け、該突起部に前記ライナの外面に平行な貫通孔を設けると共に、フレームから、その上部をフレームに固定した取り付け金具を垂下させ、該取り付け金具と前記突起部とが交差する交差部を締結装置で締結し、かつ、ライナの外面下部にフレームを乗せ掛けるフックを設けたことを特徴とするコークバケットのライナ取り付け構造。
【請求項２】
コークバケット本体のフレーム内側にライナを張りめぐらせたコークバケットにおいて、前記ライナの外面で外方に向かって突出させた突起部を設け、該突起部に前記ライナの外面に平行な貫通孔を設けると共に、フレームから、その上部をフレームに固定した取り付け金具を垂下させ、該取り付け金具と前記突起部とが交差する交差部を締結装置で締結し、かつ前記ライナとフレームの接触する面の間隙を調整するジャッキボルトを前記ライナの外面所定の位置に配設し、かつ、ライナの外面下部にフレームを乗せ掛けるフックを設けたことを特徴とするコークバケットのライナ取り付け構造。
【発明の詳細な説明】
【０００１】
【発明の属する技術分野】
本発明は、コークス炉で乾留した赤熱コークスをコークス乾式消火設備へ搬送するコークバケットに関する。
【０００２】
【従来の技術】
赤熱コークスを搬送するコークバケットは、図１、図２に示すように、フレーム１にコークバケット内側からライナ２を張りめぐらしている構造が一般的である。そして、実開昭５８−５６０４３号公報に記載されているように、フレーム１とライナ２との間に断熱材３を介装し、赤熱コークスの熱に対してフレーム１を保護することで耐久性向上を図っている。
【０００３】
また、ライナ２の取付構造は特開平６−２６４０６５号公報に開示されている。その構造を図８に示す。図８において、コークバケットのフレーム１に断熱材３を張設し、ライナ２本体がコークバケットの内側から取り付けられている。その取り付け構造は、フレーム１本体およびライナ２本体にボルト孔を設け、このボルト孔にボルト１８を通して、ライナとフレームを締結している。締結ボルト１８は、ライナ本体に座ぐり１７部を設けて、ボルトの頭がライナ表面より出ないようにしてボルトを保護している。
【０００４】
また、図９に示す様な技術も開示されている。図９に示すライナ２の取り付け構造は、フレーム１の上部にライナ２と嵌合する孔を設け、ライナの下部は、フレームに乗せ掛けられるようにコークバケットの内側から外側に向けてフック８を設け、このフック部をフレームに乗せ掛けて、ライナの上部をボルトで締結し、固定する構造である。
【０００５】
【発明が解決しようとする課題】
コークバケットには約１１００℃の赤熱コークスが投入され、前述の従来のライナ取付構造では、図８、図９に示す通り、ボルト１８は頭がコークバケットの内側となるため、コークバケット内の赤熱コークスに接したり、赤熱コークス受骸時に赤熱コークスと衝突することで、劣化したり磨耗して破損することがあり、それによってボルトが脱落することがある。ボルトが脱落すると、ＣＤＱ設備の冷却チャンバーに赤熱コークスを投入する際、ライナも落下してしまい、後工程の設備を破損させたり、更にはコークス乾式消火設備全体を停止させなければならなくなる恐れがあった。
また、ライナが脱落すると、コークバケットの側面に開口ができ、この状態で赤熱コークスを受骸すると側面開口部から赤熱コークスが漏れるので、非常に危険である。
【０００６】
一方、ボルト１８の頭の赤熱コークスによる磨耗を低減させるため、ライナに座ぐり部１７を設け、ボルト１８をライナ内側の表面から出さないようにしている。しかし、ライナは赤熱コークス受骸時の衝撃や熱応力を受けるため、座ぐり部１７やライナ取り付け用ボルト孔が応力集中箇所となり、亀裂（割れ）が生じることがある。取付ボルト孔に亀裂が生じたライナは、ボルトが脱落しなくてもバケット内側へ脱落する恐れがあり、その防止のため交換を余儀なくされる。
同様にコークバケットのフレームにもライナ取り付け用ボルト孔があり、同様の理由で亀裂が入り、ライナ脱落の危険性は避けられない。
【０００７】
このように図８および図９の取り付け構造では、
▲１▼ボルト破損によるライナの脱落
▲２▼亀裂発生によるライナの早期交換（短寿命）
▲３▼フレーム亀裂補修作業の増加
のように種々の問題点が発生する。
【０００８】
本発明は上記した問題点を解決するものであって、
（１）コークバケット本体のフレーム内側にライナを張りめぐらせたコークバケットにおいて、前記ライナの外面で外方に向かって突出させた突起部を設け、該突起部に前記ライナの外面に平行な貫通孔を設けると共に、フレームから、その上部をフレームに固定した取り付け金具を垂下させ、該取り付け金具と前記突起部とが交差する交差部を締結装置で締結し、かつ、ライナの外面下部にフレームを乗せ掛けるフックを設けたことを特徴とするコークバケットのライナ取り付け構造である。
（２）また上記構造において、前記ライナとフレームの接触する面の間隙を調整するジャッキボルトを前記ライナの外面所定の位置に配設したことを特徴とするコークバケットのライナ取り付け構造である。
【０００９】
このように本発明では、前記ライナの従来の取り付け方法で必要であったコークバケット本体のフレームと、ライナに設けたライナ取り付け用貫通孔（ボルト孔）や、ライナ内側に設けてあるライナ取り付けボルト用座ぐり部を有することなく、コークバケットのライナとをコークバケット外側にて取り付けができる。また、前記ライナとフレームの間には断熱材を必要により適宜挿入することができ、ジャッキボルトを配設してその間隔を調整し、ライナの抑圧力を抑制することができる。
【００１０】
本発明でのライナ取付方法の代表例は、まず下部は従来でも使用していたフレームにライナフックを乗せ掛ける取付方法とする。上部はライナに座ぐりやボルト孔を開けず、コークバケット外側方向に突起部を設け、その突起部と取付金具を締結し、取付金具をコークバケット外側のフレームに固定して取り付ける。
このような取り付け構造とすれば、コークバケットやライナに破損しやすい箇所からボルト孔を無くすことができるので、ボルト破損によるライナの脱落は防止でき、また、ライナの寿命を長くできる。更にフレームに関しても同様で、補修頻度を低減できる。
【００１１】
【発明の実施の形態】
図１はコークバケットの斜視図を示す。図２はコークバケットの一部断面図を示す。図１，図２に示すように、ライナ２はコークバケットのフレーム１に張りめぐらされている。図３は本発明ライナ取り付け構造の代表例を示す斜視図であり、図４は図３の側面図、図５は正面図を示す。図４において、コークバケットに張りめぐらされたフレーム１の内側周囲に断熱材３を張設している。ライナ２本体は、図３に示すように矩形をしており、コークバケット内側からフレーム１に張設した断熱材３を押接するように設置している。
【００１２】
また、ライナ２には外側に向かって突出する突起部９を所定の位置に設けると共に、該突起部９にライナ２の外面に平行な貫通孔９ａを設けている。フレーム１には上部をフレーム１に固定した取付金具４を垂下させ、この取付金具４とライナ突起部９とが交差する交差部２１で貫通孔９ａに挿入したボルト５で締結して固定する。また、取付金具４の下部には該金具４を支持するジャッキボルト７を設けており、このジャッキボルト７の調整によりライナ２の抑圧力を調整する。
ライナ２の下部にはフック８を設けており、このフック８をフレーム１に乗せ掛ける。
【００１３】
このようにライナ２を締結するボルト５がコークバケットの外面となるので、コークバケット内の赤熱コークスの影響でボルト５を破損することがなくなり、コークバケットのフレームのボルト孔やライナ内側の座ぐりやボルト孔も必要無くなるから、コークバケットのフレームやライナも亀裂が生じ難くなる。
【００１４】
他の実施例を図６に示す。図６に示すように、コークバケット外側でフレームの本体にタップ孔を設けたプレート１０を配設し、このプレート１０に所定の間隔をあけてリブ１１をもつ取付金具２０を前記プレート１０にボルト１４にて固定する。また、ライナ２にはコークバケットの外側に向けて突起部９を設けており、この突起部９を前記した取付金具２０のリブ１１間に嵌合し、ボルト１２を貫通して取り付けている。
【００１５】
【発明の効果】
以上に説明したように、本発明は以下の効果を奏する。
１．ライナ取付ボルトが赤熱コークスの受骸時の衝突による磨耗や熱影響を直接受けなくなり、取付ボルトの破損や劣化が起こり難くなったため、ライナのコークバケット内側への脱落を防止できる。
２．ライナの内側の座ぐり部やボルト孔部を無くしたので、応力集中による亀裂が生じなくなり、ライナの寿命が飛躍的に伸びる。
３．コークバケットのフレームのボルト孔を無くしたので、応力集中による亀裂が生じなくなり、コークバケットのフレームの補修量が低減できる。
４．ライナの寿命延命化とフレームの割れ補修量の低減により、コークバケットのメンテナンスにおいて大きなコストダウンとなる。
【図面の簡単な説明】
【図１】コークバケットの斜視図。
【図２】コークバケットの一部断面側面図。
【図３】本発明の実施例を示す斜視図。
【図４】図３のＡ−Ａ断面説明図。
【図５】図３の正面説明図。
【図６】本発明の他の実施例を示す断面説明図。
【図７】図６の取付け金具を示すＡ矢視図。
【図８】従来のライナ取り付け説明図。
【図９】従来の他のライナ取り付け説明図。
【符号の説明】
１：フレーム          １１：リブ
２：ライナ            １２：ボルト
３：断熱材            １３：ナット
４：取付金具          １４：ボルト
５：ボルト            １５：従来のライナ
６：ナット            １６：従来のライナ
７：ジャッキボルト    １７：座ぐり部
８：フック            １８：ボルト
９：突起部            １９：ナット
９ａ：貫通孔            ２０：取付金具
１０：プレート          ２１：交差部
【図１】
0003782593.tif 000002
【図２】
0003782593.tif 000003
【図３】
0003782593.tif 000004
【図４】
0003782593.tif 000005
【図５】
0003782593.tif 000006
【図６】
0003782593.tif 000007
【図７】
0003782593.tif 000008
【図８】
0003782593.tif 000009
【図９】
0003782593.tif 000010